(57)【要約】【課題】コンクリート型枠を担持する治具として、収納や運搬時には相互に重ね合わせることができるので場所を取らないですみ、また、型枠への当接面積を広く確保することで、型枠を押さえる範囲が広くなり、コンクリート打設側圧に対して剛性を向上できるとともに仕上コンクリートの面の平滑度も増すことができ、縦または横のバタパイプを激減させることができるだけでなく、異なる径のバタ角に対しても１種類の治具で対応できる。【解決手段】コンクリート型枠の外面に面接触で当接する底板部３２および該底板部３２の周囲から立ち上がる側壁部３３とを有する偶数多角形の皿状体３１であり、該皿状体３１の上縁に外方に突出し横バタ材が当接する水平鍔部３５を設け、前記底板部３２にはコンクリート型枠間に架設する連結杆の端部またはその延長部の貫通孔３７を設けた。【選択図】　　　　図１
2004068437.tif 000002
【特許請求の範囲】
【請求項１】
コンクリート型枠の外面に面接触で当接する底板部および該底板部の周囲から立ち上がる側壁部とを有する偶数多角形の皿状体であり、該皿状体の上縁に外方に突出し横バタ材が当接する水平鍔部を設け、前記底板部にはコンクリート型枠間に架設する連結杆の端部またはその延長部の貫通孔を設けたことを特徴とするコンクリート型枠支保治具。
【請求項２】
側壁部および水平鍔部のうち、対向する２辺のものの上部を水平に切欠いて段違い部に形成した請求項１記載のコンクリート型枠支保治具。
【請求項３】
貫通孔はＬ字形状、十字形状、Ｔ字形状などの、連結杆の挿入位置をＸＹ方向に可変にできる形状に形成する請求項１記載のコンクリート型枠支保治具。
【発明の詳細な説明】
【０００１】
【発明の属する技術分野】
本発明は、コンクリート型枠を担持するコンクリート型枠支保治具に関するものである。
【０００２】
【従来の技術】
従来、コンクリート型枠の担持（支保）具として、図１０に示すようなものが知られている。図中１は合板型枠であり、対峙して配置された合板型枠１の押さえとして単管による縦・横のバタパイプ２，３が格子状に組まれて配設され、合板型枠１間に架設される連結杆たるセパレータ４の端部にＰコン等の係止具５を介してまたは座金付きのフォームタイ（岡部株式会社の登録商標）６を螺子する。
【０００３】
このフォームタイ６が合板型枠１の外側においてバタパイプ２，３間から外方へ突出するものであり、横のバタパイプ３に係合する三型リブ座７をフォームタイ６に取り付け、ナット８で締結する。
【０００４】
このようにしてフォームタイ６のナット８を締め付けると、三型リブ座７に係止された横のバタパイプ３が合板型枠１に向かって押圧され、この横のバタパイプ３により押圧された縦のバタパイプ２が合板型枠１の外面に圧接されてコンクリート型枠が担持される。
【０００５】
前述のように構成された従来のコンクリート型枠の担持具により担持されたコンクリート型枠にあっては、係止具５とフォームタイ６間に挟持されて担持されている合板型枠１の面積が極めて狭いために、合板型枠１の外壁面に対して縦、横方向に多数のバタパイプ２，３を配置し、合板型枠１の外壁面に多数のバタパイプ２，３を当接させてこのパイプにより合板型枠１に作用する側圧を分散し得るように構成している。
【０００６】
そのため多量のバタパイプ２，３を使用する必要があり、運搬、設置に多大な労力と費用を費やす必要がある他、保管・管理にも広大な場所と労力を必要とする。
【０００７】
これに対して使用されるパイプ（バタパイプ）の本数を減らすことができるものとして、実用新案登録第１９０５３９８号（実公平３−２９４７１号公報）のコンクリート打込用型枠の支持具や特開平１１−１９０１２７号公報のコンクリート型枠担持具が提案されている。
【０００８】
実用新案登録第１９０５３９８号（実公平３−２９４７１号公報）のコンクリート打込用型枠の支持具は図１１、図１２に示すように、一辺１２ｃｍの正方形の平坦な頂面１２ａを有しその周囲から直角に突出する側周面１２ｂを形成することにより断面コ状の筐体１３を形成し、前記側周面１２ｂの開放端面に１辺３０ｃｍの正方形の座板１４を筐体１３の頂面１２ａの中心と、座板１４の中心とが一致するように接着、溶接その他適宜の手段により固定し、前記筐体１３の側周面１２ｂの外方に延在するフランジ部１５を形成する。前記筐体１３の立上がり隅部１２ｃから座板１４のフランジ部１５の直角隅部１４ａにわたりリブ１６，１６，１６，１６を設ける。
【０００９】
又は、筐体１３の頂面１２ａの中心、或いはその付近にフォームタイ挿通孔１７を形成する。又座板１４の筐体１３の側周面１２ｂ内に位置する部分であって、前記フォームタイ挿通孔１７と対応する位置にフォームタイ挿通孔１８を設ける。筐体１３の側周面１２ｂの１箇所または複数箇所にフォームタイ調節具挿入孔１９を設ける。前記フォームタイ調節具挿入孔１９の大きさは、外部からフォームタイ調節具を挿入し、作動可能な大きさとする。
【００１０】
型枠組み立てに際しては、表側のパネル状型枠Ａの所期位置に当てフォームタイ６を支持具１１の筐体１３の頂面１２ａのフォームタイ挿通孔１７、座板１４のフォームタイ挿通孔１８、表面のパネル状型枠Ａ、裏側のパネル状型枠Ｂを貫通し、パネル状型枠Ｂの裏面において、フォームタイ６の他端にＰコン等の係止具５を取り付ける。
【００１１】
フォームタイ６の一端を、支持具１１の筐体１３の頂面１２ａから突出させ、これに三型リブ座７を螺合する。前記三型リブ座７の裏面と前記頂面１２ａとの間に上下平行にバタパイプ２を当て、フォームタイ調節具挿入孔１９からフォームタイ調節具を挿入し、フォームタイ６を回動することにより三型リブ座７と筐体１３の頂面１２ａとによりバタパイプ２を挟圧支持し、かつ表裏のパネル状型枠Ａ，Ｂを所定間隔を保持して平行に支持する。
【００１２】
左右両端のパネル状型枠Ａ，Ｂ，Ａ，Ｂ間のパネル状型枠Ａ，Ｂのうちパネル状型枠Ａの外面に位置させた支持具を、その筐体１３の頂面１２ａのフォームタイ挿通孔１７が前記頂面１２ａに接するバタパイプ２間に現れるようにし、前記同様に表裏のパネル状型枠Ａ，Ｂを貫通してフォームタイ６を取付けフォームタイ挿通孔１７より突出するフォームタイ６の一端から三型リブ座７を螺挿し、バタパイプ２を筐体１３の頂面１２ａに圧接する。このようにして横方向に位置する各パネル状型枠の支持具１１は水平方向に一直線状に取付けられる。８はナットである。
【００１３】
特開平１１−１９０１２７号公報のコンクリート型枠担持具は、図１３に示すように、対峙して配置される合板型枠１間に架設される連結杆たるセパレータ４と、前記セパレータ４の両端側に取り付けられ、合板型枠１の内壁面に当接して合板型枠１間の間隔を規制する係止具５と、前記合板型枠１の外壁面側より前記係止具５の取り付けられたセパレータ４の両端に連結され、前記係止具５との間で合板型枠１を固定する固定具であるフォームタイ６を備えたコンクリート型枠の担持具において、前記セパレータ４の少なくとも一端に取り付けられた係止具５より突出し、前記フォームタイ６と連結される軸足２０（前記セパレータ４の端部に形成されるものを含む）と、前記軸足２０に装着される支持具２１を備える。
【００１４】
前記支持具２１は、上面中央に前記軸足２０が挿通される開孔２２を備えた略載頭円錐状又は略円筒状を成すカップ状部２３と、前記カップ状部２３の開口周縁から円周方向に突出する鍔部２４を備える。
【００１５】
また、前記支持具２１は、カップ状部２３の上面２５の中央を前記フォームタイ６の挿入可能な大きさでカップ状部２３の開口方向に陥没させて形成された陥没部２６を備える。前記陥没部２６の底面２６′を、前記カップ状部２３の開口周縁より突出する鍔部２４の先端位置よりもカップ状部２３の上面２５よりに配置する。
【００１６】
合板型枠１の外壁面側に配置された縦又は横のパイプ２７，２８又は所定長の木材杆、例えばさん木２７′，２８′として用いられる木材と共に合板型枠１を担持する場合にあっては、フォームタイ６を使用し、縦横両方向共にパイプ２７，２８を用いる場合には縦又は横のパイプ２７，２８、縦横両方向共に木材杆であるさん木２７′，２８′を用いる場合には縦又は横のさん木２７′，２８′、縦方向にパイプ２７、横方向に木材杆であるさん木２８′を使用する場合には、縦方向のパイプ２７又は横方向のさん木２８′、縦方向に木材杆たるさん木２７′、横方向にパイプ２８を使用する場合にあつては縦方向のさん木２７′又は横方向のパイプ２８を前記フォームタイ６で固定して、前記縦又は横のパイプ２７，２８又はさん木２７′，２８′を合板型枠１の外壁面に押圧して固定する。
【００１７】
したがって、このフォームタイ６は前記縦又は横のパイプ２７，２８またはさん木２８′を合板型枠１の外壁面に押圧して固定する手段を備える。この縦又は横のパイプ２７，２８又はさん木２７′，２８′を合板型枠１の外壁面に押圧して固定する手段は、一端に前記軸足２０が螺合されるねじ孔が形成され、外周に雄ねじの形成されたフォームタイ６と、前記フォームタイ６の外周に螺合されるナット８と、フォームタイ６に装着され、ナット８の締め付けにより合板型枠１に向かって押圧されて前記支持具２１との間で前記パイプ２８又はさん木２８′を挟持固定する三型リブ座７を備える。
【００１８】
前記の支持具２１の鍔部２４は、合板型枠１の外壁面方向に傾斜する形成とする。
【００１９】
【発明が解決しようとする課題】
前記実用新案登録第１９０５３９８号（実公平３−２９４７１号公報）のコンクリート打込用型枠の支持具は、相互に重ね合わせることができず、収納に場所を取り、また、運搬にも難がある。
【００２０】
さらに、フォームタイの結合は筺体１３の側周面に形成したフォームタイ調節具挿入孔１９からフォームタイ調節具を挿入して回動しなければならず、極めて面倒な作業となる。
【００２１】
一方、特開平１１−１９０１２７号公報のコンクリート型枠担持具は、合板型枠１や押さえ板３０の外壁面に押圧するために当接するのは、図１３示すように支持具２１の鍔部２４の外周線の部分のみであり、いわゆる線接触である。
【００２２】
鍔部２４は、カップ状部２３の開口周縁から鍔部２４の周縁に向かって断面八の字状にその間隔を広げる傾斜状に形成されており、該支持具２１の鍔部２４の周縁が合板型枠１や押さえ板３０に押圧された際に該鍔部２４が弾性変形し、これらの表面に均一かつ確実に圧接し得るよう構成されているもので、支持具２１自体には合板型枠１や押さえ板３０の外壁面を押さえ込みという作用に乏しい。
【００２３】
また、三型リブ座７で支持具２１の上部に押しつけ固定されるバタパイプ３でさらに縦のパイプ２８又はさん木２８′を押しつけ固定するには、支持具２１の高さが縦のパイプ２８又はさん木２８′の高さと等しくなければならない。しかしながら、縦のパイプ２８又はさん木２８′には、バタ角が使用されることが多いが、このバタ角には２種類（５０ｍｍ、６０ｍｍ）の径があり、高さが固定されている１種類の支持具２１では異なる径の縦のパイプ２８又はさん木２８′に対応することができなかった。
【００２４】
本発明の目的は前記従来例の不都合を解消し、コンクリート型枠を担持する治具として、収納や運搬時には相互に重ね合わせることができるので場所を取らないですみ、また、型枠への当接面積を広く確保することで、型枠を押さえる範囲が広くなり、コンクリート打設側圧に対して剛性を向上できるとともに仕上コンクリートの面の平滑度も増すことができ、縦または横のバタパイプを激減させることができるだけでなく、異なる径のバタ角に対しても１種類の治具で対応できるコンクリート型枠支保治具を提供することにある。
【００２５】
【課題を解決するための手段】
本発明は前記目的を達成するため、第１に、コンクリート型枠の外面に面接触で当接する底板部および該底板部の周囲から立ち上がる側壁部とを有する偶数多角形の皿状体であり、該皿状体の上縁に外方に突出し横バタ材が当接する水平鍔部を設け、前記底板部にはコンクリート型枠間に架設する連結杆の端部またはその延長部の貫通孔を設けたことを要旨とするものである。
【００２６】
第２に、側壁部および水平鍔部のうち、対向する２辺のものの上部を水平に切欠いて段違い部に形成したことを要旨とするものである。
【００２７】
第３に、貫通孔はＬ字形状、十字形状、Ｔ字形状などの、連結杆の挿入位置を可変にできる形状に形成することを要旨とするものである。
【００２８】
請求項１記載の本発明によれば、偶数多角形の皿状体の底板部がコンクリート型枠の外面に面接触で当接するものであり、コンクリート型枠は底板部全体で外側から押さえることができ、広い範囲で押さえられるので、支圧スパンを大きくとることができ、縦または横のバタパイプのいずれか一方を激減させることができる。
【００２９】
そして、広い面積でコンクリート型枠に当接するから、コンクリート打設側圧に対して剛性を向上できるとともに仕上コンクリートの面の平滑度も増すことができる。また、全体が偶数多角形の皿状体であるから、積み重ねも容易である。
【００３０】
また、皿状体の底板部にはコンクリート型枠間に架設する連結杆の端部またはその延長部の貫通孔を設けたので、フォームタイはこの陥没部に外側から差し入れて面倒な手間なしに連結杆に直接または間接に結合させることができる。
【００３１】
請求項２記載の本発明によれば、前記作用に加えて、側壁部および水平鍔部のうち、対向する２辺のものの上部を水平に切欠いて段違い部に形成したことにより、この切欠きによる段違い部または水平鍔部のいずれかを選択して、この上でバタパイプを支持すれば、バタパイプの配設高さを変更でき、異なる径の縦の桟木またはパイプに対してその場で柔軟に対処できる。
【００３２】
請求項３記載の本発明によれば、前記作用に加えて、貫通孔はＬ字形状、十字形状、Ｔ字形状などの、連結杆の挿入位置を可変にできる形状に形成することにより、コンクリート型枠が柱型枠の場合であって、柱の角隅部を直角に形成するために、角隅部近傍に位置させて連結杆を配置する必要のあるときに、貫通孔に対する連結杆の挿入位置を適宜選択できるから、柱の角隅部近傍に位置させて連結杆を挿入できる。
【００３３】
【発明の実施の形態】
以下、図面について本発明の実施形態を詳細に説明する。図１は本発明のコンクリート型枠支保治具の実施形態を示す斜視図、図２は同上使用状態を示す斜視図、図３は同上使用状態を示す正面面、図４は同上使用状態を示す縦断側面図である。
【００３４】
本発明のコンクリート型枠支保治具は、コンクリート型枠である合板型枠１の外面に面接触で当接する底板部３２および該底板部３２の周囲から立ち上がる側壁部３３とを有する金属製で偶数多角形（図示の例では四角形）の皿状体３１であり、該側壁部３３の上縁に外方に突出し横バタ材などの横のバタパイプ３が当接する水平鍔部３５を設けた。金属製材料としては鋼製、ステンレス製、アルミ合金製等が採用し得る。なお、皿状体３１の形状は、偶数多角形であれば、例えば八角形でもよく、図示のような四角形に限定されるものではない。
【００３５】
前記側壁部３３および水平鍔部３５のうち、対向する２辺のものの上部を水平に切欠いて段違い部３４に形成する。切欠きの辺方向の長さは一般的に使用に対応させて横のバタパイプ３の２本分の直径に相当するものとする。また、側壁部３３の高さを、合板型枠１の外面に押圧固定される縦のパイプ２８または桟木２８′としてのバタ角の径である例えば６０ｍｍに等しくし、段違い部３４の底板部３２からの高さが、別の種類のバタ角の径である５０ｍｍに等しくなるように、切欠きの深さは、１０ｍｍとした。
【００３６】
水平鍔部３５の外周縁は巻きリブ３６として形成する。
【００３７】
前記底板部３２には、後述のようにコンクリート型枠である合板型枠１間に架設する連結杆としてのセパレータ４の端部またはその延長部の貫通孔３７を設ける。この貫通孔３７は、図６に示すようにＬ字形状、十字形状、Ｔ字形状などの、連結杆の挿入位置をＸＹ方向に自由に変更できる形状に形成し、セパレータ４の端部またはその延長部を底板部３２の中心位置以外の位置でも貫通させることができるようにした。
【００３８】
次に、使用法を図２〜図４について説明する。コンクリート型枠である合板型枠１間には連結杆たるセパレータ４と、前記セパレータ４の両端に取り付けられ合板型枠１の内壁面に当接して合板型枠１間の間隔を規制して合板型枠１間の間隔を一定に保つ既知の座金、Ｐコン、ハリＰコン等の係止具５とが配設される。さらに、軸足４０が前記係止具５の一端より突出し、後述の固定具であるフォームタイ６に連結されるように設けられる。この軸足４０は係止具５と一体不可分のものでも、または、螺合して分離可能なものでもよい。
【００３９】
前記皿状体３１は、軸足４０またはセパレータ４に直接装着されるものとして、図３、図４に示すように合板型枠１の外側面に適宜間隔で配置し、その際、底板部３２が合板型枠１の外側面に当接する。
【００４０】
この場合、合板型枠１の外側面には縦のパイプ２８または桟木２８′として径が６０ｍｍのバタ角が配置されているときは、切欠きによる段違い部３４が形成されていない側の辺が縦方向に位置するように皿状体３１の配置方向を決定する。これにより、横のバタパイプ３は水平鍔部３５の上面に当接し、皿状体３１の底板部３２から６０ｍｍの高さに配置されるから、横のバタパイプ３で６０ｍｍの径のバタ角を上面から同時に押さえることができる。
【００４１】
また、この合板型枠１が図９に示すような柱型枠の場合、方形に組み合わされる型枠パネルの端部は直角になるが、この角部の形状が打設コンクリートの側圧によって変形しないようにするには、可能な限りセパレータ４を角部に近い位置に配置することが望まれる。かかる場合は、図７、図８に示すように貫通孔３７に挿入するセパレータ４の位置を貫通孔３７内でＸＹ方向に移動させ、角部に近い位置を選択すればよい。これにより、合板型枠１の変形を防止でき、変形によるコンクリート漏れを防ぐことができる。
【００４２】
一方、合板型枠１の外側面には縦のパイプ２８または桟木２８′として径が５０ｍｍのバタ角が配置されているときは、図５に示すように切欠きによる段違い部３４が形成されている側の辺が縦方向に位置するように皿状体３１の配置方向を決定する。これは図４に示した位置に対して皿状体３１を９０度回転させた位置である。
【００４３】
これにより、横のバタパイプ３は段違い部３４の内部に当接し、皿状体３１の底板部３２から５０ｍｍの高さに配置されるから、横のバタパイプ３で５０ｍｍの径のバタ角を上面から同時に押さえることができる。この状態で、段違い部３４の幅は２本分の横のバタパイプ３の幅に形成してあるから、２本のバタパイプがしっかりと安定した状態で段違い部３４内に納まる。
【００４４】
また、バタパイプ３が１本の場合も、この段違い部３４にこれを納めれば、納まりのよいものにできる。このように、１種類の皿状体３１で縦のパイプ２８または桟木２８′としての複数の異なる径のバタ角に対応できる。縦のパイプ２８または桟木２８′が、例えば断面六角形状などの多角形の場合にも適用できる。
【００４５】
このようにして軸足４０に皿状体３１を装着した後、底板部３２の貫通孔３７から出る軸足４０の後端にさらに固定具であるフォームタイ６を連結する。その際、フォームタイ６の脚部フランジ６ａが底板部３２を押さえる。
【００４６】
前記フォームタイ６と、このフォームタイ６に装着され、横のバタパイプ３に向かって押圧されて皿状体３１との間でバタパイプ３を挟持する押圧金具である三型リブ座７と、前記フォームタイ６の外周に螺合されるナット８で全体を締結する。
【００４７】
フォームタイ６に装着される三型リブ座７は横のバタパイプ３の外周よりも若干大きめに形成された切欠円弧状の係止部が形成され、フォームタイ６の外周に形成された雄ねじに螺合されたナット８の締め付けにより合板型枠１側に押圧されて横のバタパイプ３が固定される。
【００４８】
【発明の効果】
以上述べたように本発明のコンクリート型枠支保治具は、コンクリート型枠を担持する治具として、収納や運搬時には相互に重ね合わせることができるので場所を取らないですみ、また、型枠への当接面積を広く確保することで、型枠を押さえる範囲が広くなり、コンクリート打設側圧に対して剛性を向上できるとともに仕上コンクリートの面の平滑度も増すことができ、縦または横のバタパイプを激減させることができるだけでなく、異なる径のバタ角に対しても１種類の治具で対応できる。また、柱型枠のように型枠パネルの端部近傍にセパレータを配置する必要のある場合にも柔軟に対処できるものである。
【図面の簡単な説明】
【図１】本発明のコンクリート型枠支保治具の実施形態を示す斜視図である。
【図２】本発明のコンクリート型枠支保治具の実施形態を示す使用状態の斜視図である。
【図３】本発明のコンクリート型枠支保治具の実施形態を示す使用状態の正面図である。
【図４】本発明のコンクリート型枠支保治具の実施形態を示す使用状態の縦断側面図である。
【図５】本発明のコンクリート型枠支保治具の実施形態を示す他の使用状態の縦断側面図である。
【図６】本発明のコンクリート型枠支保治具の実施形態を示す貫通孔部分の正面図である。
【図７】本発明のコンクリート型枠支保治具の実施形態を示す柱型枠への使用状態を示す横断平面図である。
【図８】本発明のコンクリート型枠支保治具の実施形態を示す柱型枠への使用状態を示す平面図である。
【図９】柱型枠の斜視図である。
【図１０】型枠支保工の説明図である。
【図１１】第１の従来例を示す平面図である。
【図１２】第１の従来例を示す縦断正面図である。
【図１３】第２の従来例を示す縦断正面図である。
【符号の説明】
１…合板型枠　　　　　　　　　　　２，３…バタパイプ
４…セパレータ　　　　　　　　　　５…係止具
６…フォームタイ　　　　　　　　　　６ａ…脚部フランジ
７…三型リブ座　　　　　　　　　　８…ナット
１１…支持具
１２ａ…頂面　　　　　　　　　　　１２ｂ…側周面
１２ｃ…隅部　　　　　　　　　　　１３…筐体
１４…座板　　　　　　　　　　　　１４ａ…直角隅部
１５…フランジ部　　　　　　　　　１６…リブ
１７，１８…フォームタイ挿通孔　　１９…フォームタイ調節具挿入孔
２０…軸足　　　　　　　　　　　　２１…支持具
２２…開孔　　　　　　　　　　　　２３…カップ状部
２４…鍔部　　　　　　　　　　　　２５…上面
２６…陥没部　　　　　　　　　　　２６′…底面
２７，２８…パイプ　　　　　　　　２７′，２８′…さん木
２９…ナット　　　　　　　　　　　３０…押さえ板
３１…皿状体　　　　　　　　　　　３２…底板部
３３…側壁部
３４…段違い部　　　　　　　　　　３５…水平鍔部
３６…巻きリブ　　　　　　　　　　３７…貫通孔
４０…軸足
【図１】
2004068437.tif 000003
【図２】
2004068437.tif 000004
【図３】
2004068437.tif 000005
【図４】
2004068437.tif 000006
【図５】
2004068437.tif 000007
【図６】
2004068437.tif 000008
【図７】
2004068437.tif 000009
【図８】
2004068437.tif 000010
【図９】
2004068437.tif 000011
【図１０】
2004068437.tif 000012
【図１１】
2004068437.tif 000013
【図１２】
2004068437.tif 000014
【図１３】
2004068437.tif 000015